(57)【要約】【課題】  ごみの飛散防止ネットやシート、サークル部材を使用しないときにまとまり良く収納することでごみ集積所の景観を良くすることができ、サークル部材も自立して使用しやすく、箱体等を設けることなく簡単な構成で安価なごみ収納具を提供する。【解決手段】  平断面が円形状、又は多角形状の縦に長い筒状の被覆材収納部１０と、被覆材収納部１０の筒外周に少なくとも１カ所で接続され平面サークル状に屈曲する衝立となり、内部にごみを収納するサークル部１１と、被覆材収納部１０にその一端を固定され、シート又はネット状素材で、サークル部１１を上から覆ってごみの飛散を防止する被覆材１２とからなるごみ集積所等のごみ収納具であって、ごみを収納しないときは、被覆材１２は畳んで被覆材収納部１０内に収納し、サークル部１１は被覆材収納部１０の筒外周に巻きつけることで収納可能とした。【選択図】図１
0003175015.tif 000002
【実用新案登録請求の範囲】
【請求項１】
平断面が円形状、または多角形状の縦に長い筒状の被覆材収納部と、
被覆材収納部の筒外周に少なくとも１カ所で接続され平面サークル状に屈曲する衝立となり、内部にごみを収容するサークル部と、
被覆材収納部にその一端を固定され、シート又はネット状素材で、サークル部を上から覆ってごみの飛散を防止する被覆材とからなるごみ集積所等のごみ収納具であって、
ごみを収納しないときは、被覆材は畳んで被覆材収納部内に収納し、サークル部は被覆材収納部の筒外周に巻きつけることで収納可能としたごみ収納具。
【考案の詳細な説明】
【技術分野】
【０００１】  本考案は町内会ごとに定められたごみ集積所等において、風やカラス等によるごみの飛散を防止するために使用するごみ収納具に関する。
【背景技術】
【０００２】  町内会ごとに定められたごみ集積所において、集められるごみが風やカラス等によって飛散するのを防ぐために上から被せるネットやシート材が広く使用されている。【０００３】  また、市街地のごみ集積所はごみを狭い範囲に積み重ねる必要があるため、崩れ防止として集積所を地面から５０ｃｍほどの高さで衝立状に囲む樹脂ネットやアルミ板を用いたサークル部材も広く普及している。【０００４】  一例として、特開２００５−１１９８７０号公報では、ポリエチレン等の硬質の樹脂材料により網目状にした帯状体と、この帯状体の両端を接合して筒状にせる保護ガードを形式し、この保護ガードを筒状に起立させて、この囲撓された空間にゴミ袋を収納し、これらゴミ袋を被覆するごとく柔軟性の網状をした被覆体を設けた塵埃収納装置が示されている。【０００５】  この発明によれば、設置場所やスペースによって囲い形状を長方形、四角形、三角形、円形或いは変形円形等自由自在に広げて使用可能であり、生活ゴミ袋を収納した場合、強風等にて網目部分が緩衝作用を行い、定位置を保持して倒れを防ぐことができ、更に不使用時には後片づけが容易にできるとしている。また、保護ガードは不使用時は、渦巻き状の筒体にして全体の嵩を小さくして持ち運び容易にし、保管場所に合致した形状にして通行の妨げにならないようにすることができるとしている。【０００６】  また、保護ガードはその長さの方向に間隔をもって複数の補強材を設けることによって、上下方向の強度を高めて使用時に倒れるのを防ぐと共に、不使用時の巻回には何ら支障を招くことはないとしている。【０００７】  また、ごみ集積所の景観を改善するために、囲い具やネット自体を収納する収納装置も各種提案されている。一例として出願人は実登３１６４１７５号として巻き取り式ごみネット収納装置を提案している。【０００８】  この装置は正面となる側面に開閉可能な扉を設けた箱体と、扉を設けた側面と平行かつ水平に箱体内に設けた巻取軸と、集積されるごみ袋に掛けるごみネットと巻取軸を結ぶロープと、箱体外に巻取軸に連結し着脱自在なハンドルを設け、そのハンドルを手で回すことによりごみネットが巻取軸に巻き取られる収納装置において、巻取軸は左右一対の円筒状の丸軸部と、丸軸部の間の両端が広く中央部が狭い鼓形状の板である巻取板とし、丸軸部は正面につながる両側面に設けた一対の軸受に自由に回転するよう固定したものである。【０００９】  この考案によれば、ごみネットを均一に巻き取ることができるから、収納装置の形状を小さくでき、構造が簡単で安価に製造できるとしている。また、サークル部材も収納装置内に折り畳んで収納可能としている。
【先行技術文献】
【特許文献】
【００１０】
【特許文献１】特開２００５−１１９８７０号公報
【特許文献２】実登３１６４１７５号公報
【考案の概要】
【考案が解決しようとする課題】
【００１１】  上記の特許文献１に示される塵埃収納装置では、保護ガードは不使用時は渦巻き状の筒体にすることで、嵩を小さくして通行の妨げにならないようにすることができるとしているが、網状の被覆体は不使用時にどのように片づければよいか示されていない。一般的に、ごみに被せる飛散防止ネットやシートは買い物籠のようなものに押し込まれて片づけられている場合が多く、乱雑に押し込まれた様子はごみ集積所の景観を大きく損ねている。【００１２】  また、飛散防止ネットやシート、サークル部材をそれぞれ片づけると一体となっていないため、散らばったり紛失のおそれがある。【００１３】  また、柔らかい素材のサークル部材は単体で使用すると、広げたときに支えるものが無いため自立せずに使用しにくい。しかし、硬い素材だと自立はしやすいが巻いたり畳んだりしにくく、補強を入れたものはコストも高くなる。【００１４】  また、特許文献２に示した巻き取り式ごみネット収納装置では、ごみネットもサークル部材も一体に収納可能でまとまりが良いが、箱体の装置であるためどうしてもコストが高くなってしまう。【００１５】  そこで、本考案はごみの飛散防止ネットやシート、サークル部材を使用しないときにまとまり良く収納することでごみ集積所の景観を良くすることができ、サークル部材も自立して使用しやすく、箱体等を設けることなく簡単な構成で安価なごみ収納具を提供することを目的とする。
【課題を解決するための手段】
【００１６】  請求項１のごみ収納具１は、平断面が円形状、又は多角形状の縦に長い筒状の被覆材収納部１０と、被覆材収納部１０の筒外周に少なくとも１カ所で接続され平面サークル状に屈曲する衝立となり、内部にごみを収容するサークル部１１と、被覆材収納部１０にその一端を固定され、シート又はネット状素材で、サークル部１１を上から覆ってごみの飛散を防止する被覆材１２とからなるごみ集積所等のごみ収納具であって、ごみを収納しないときは、被覆材１２は畳んで被覆材収納部１０内に収納し、サークル部１１は被覆材収納部１０の筒外周に巻きつけることで収納可能としたものである。
【考案の効果】
【００１７】  請求項１の考案によれば、ごみを収納しないときは、被覆材１２は畳んで被覆材収納部１０内に収納し、サークル部１１は被覆材収納部１０の筒外周に巻きつけることで一体に収納可能としたから、部材が散らばるおそれが無く、ごみ集積所の景観を改善することができる。【００１８】  さらに、サークル部１１は被覆材収納部１０に接続されているから支えられ、ネット素材等の柔らかい素材を用いてもしっかりと自立させることができる。【００１９】  また、筒状の被覆材収納部１０とサークル部１１と被覆材１２を簡単な構成としているから、箱体等の装置のように多くの加工を必要とせず、ごみ収納具１のコストを安くすることができる。
【図面の簡単な説明】
【００２０】
【図１】図１は実施例１に係るごみ収容具の斜視図である。
【図２】図２は図１の平面図である。
【図３】図３は図１の正面図である。
【図４】図４は実施例１に係るごみ収容具の使用状態を模式的に示す斜視図である。
【図５】図５は実施例１に係るごみ収容具の収納時を示す斜視図である。
【図６】図６は実施例１に係るごみ収容具を収納した状態を示す斜視図である。
【図７】図７は本考案に係るごみ収容具の他の実施形態を示す図である。
【考案を実施するための形態】
【００２１】  ごみ集積所等のごみ収納具であって、まとまり良く収納することでごみ集積所の景観を良くすることができ、サークル部材も自立して使用しやすく、安価に提供するという目的を、被覆材１２は畳んで被覆材収納部１０内に収納し、サークル部１１は被覆材収納部１０に少なくとも１カ所で接続されるとともに、筒外周に巻きつけて収納することで一体に収納可能とし、箱体等を設けることなく簡単な構成とすることで実現した。
【実施例１】
【００２２】  図１は本考案の実施例１に係るごみ収容具１である。【００２３】  ごみ収容具１は主に縦に長い筒状の被覆材収納部１０としての収納バケット１０ａと、収納バケット１０ａの筒外周で接続され平面サークル状に屈曲する衝立となり、内部にごみを収容するサークル部１１としてのサークルネット１１ａと、サークルネット１１ａを上から覆ってごみＧの飛散を防止する被覆材１２としてのごみネット１２ａからなる。【００２４】  収納バケット１０ａは、薄い樹脂のメッシュシート材を縦に長い円筒となるよう丸めたものである。メッシュシート材は、柔軟なものよりも例えば漁業の養殖籠等に用いられるような硬めのものを使用し、屈曲性は良くても筒状にしたときに自立できるような硬さとしておく。丸める方向の端面同士は細いバンド等で数カ所固定してもよいし、熱融着等で接合して一体の筒としてもよい。【００２５】  また、収納バケット１０ａの上は開口しておくが、底には同様のメッシュシート材を用いて底板を設けておく。そうすることで収納バケット１０ａの自立安定性をよくしておく。本実施例で示すメッシュシート材はポリエチレンからなり、厚さは約２ｍｍ、網目のピッチは縦横共に約１０ｍｍ、収納バケット１０ａは直径約３００ｍｍ、高さ約６２０ｍｍの円筒形状とした。【００２６】  図２に示すように収納バケット１０ａの筒状の外周にサークルネット１１ａを接続して設ける。サークルネット１１ａと収納バケット１０ａはリング状金具などの屈曲しやすい部材でその上下を接続しておく。【００２７】  サークルネット１１ａはサークル状に屈曲する衝立のようなもので、収納バケット１０ａと同じ素材を使用し、広げたときに自立するようにすることが望ましい。必ずしも同じ素材を使用する必要は無く、ごみ集積所用として一般に販売されているサークル部材等を使用してもよい。本実施例では、サークルネット１１ａの高さは収納バケット１０ａと同じ約６２０ｍｍ、平面円状に広げた場合直径１．５ｍ程の大きさとなるようにした。【００２８】  サークルネット１１ａの平面における周長の中間位置には固定紐１５を設け、例えば電柱７等の他の構造物と結んで固定できるようにしておく。【００２９】  収納バケット１０ａにはその一端を固定して被覆材１２としてのごみネット１２ａを設ける。ごみネット１２ａは柔軟な樹脂ネットで、カラス避けのために目が細かく、周囲に錘紐を廻して小動物が持ち上げられないようになっている。これも一般にゴミ集積所向けとして市販されているものを利用してもよい。ごみネット１２ａの大きさはサークルネット１１ａを上からすっぽり覆うことができる大きさとしておく。本実施例では縦約２ｍ、横約３ｍとした。【００３０】  次に、ごみ収容具１の使用方法について説明する。【００３１】  図４に示すのはゴミ収容具としての使用状態を示すもので、収納バケット１０ａから設けたサークルネット１１ａを広げ、内部に集積されるごみ袋Ｇを収容し、その上からごみネット１２ａを被せて使用する。サークルネット１１ａの中間位置に設けた固定紐１５は、ゴミ集積所付近の電柱７等に結んでおく。【００３２】  サークルネット１１ａは屈曲する素材からなっているので、もちろん収容するごみ袋Ｇの多さ��広げる大きさや形を変えればよい。またサークルネット１１ａを設けているため、ごみ袋Ｇを重ねて収容しても崩れるのを防止し、ゴミ集積所のスペースをコンパクトに保つことができる。【００３３】  ごみＧの収集が完了し、ごみ収容具１を使用しないときは片づける。まず、ごみネット１２ａは丸めて畳んで収納バケット１０ａに上から投入して収納する。次にサークルネット１１ａは収納バケット１０ａの筒外周に巻きつけて収納する。【００３４】  その際、図５に示すように円筒状の収納バケット１０ａをその円周方向に渦巻きのように回転させるとサークルネット１１ａは巻きつくので収納操作が容易である。サークルネット１１ａが全て巻きつけ終わると、風等でサークルネット１１ａが解けてくるのを防止するために図示しないバンド等で外周を結束したほうが望ましい。以上の収納手順で片づけが終了となる。再度使用する場合は上記の逆の手順で行えばよい。【００３５】  従来ではごみに被せるネットを丸めて畳んだもの、サークル部材を丸めたものそれぞれがゴミ集積所に放置される場合が多いが、本実施例で示すごみ収容具１を片づけると、収納バケット１０ａよりも略一回り大きな一体の円柱状にまとまり、ごみ集積所の景観を損ねない。また、固定紐１５によってごみ収納具１が付近の電柱７等の構造物に固定されるので強風等で飛ばされるおそれがない。【００３６】  また、ごみネット１２ａと収納バケット１０ａ、サークルネット１１ａがそれぞれ結んであるので、散らばったり紛失するおそれがない。サークルネット１１ａは収納バケット１０ａと接続されているから支えられ、しっかりと自立させることができる効果もある。【００３７】  また、以上の実施例１では被覆材収納部１０、サークル部１１、被覆材１２を樹脂のメッシュやネットを用いた材料で構成しているので軽量で取り扱いやすく、臭気もこもらず、コストも安価にできる。【００３８】  本考案は上記の実施形態に限定されるものではなく、その要旨の範囲内で種々の変更が可能である。例えば、サークル部１１は被覆材収納部１０と少なくとも１カ所で接続されていれば自立するよう支えられ、容易に巻きつけて収納できるようになるから、図７の（Ａ）、（Ｂ）に示すように被覆材収納部１０がサークル部１１の平面視内接円や外接円のように接続していてもよい。【００３９】  また、被覆材収納部１０を樹脂のメッシュ材で構成したが、網目の無い一体成型した単なるパイプとしてもよいし、倒れて扱いにくくなければ底板を無くした構成にしてもよい。【００４０】  また、収納バケット１０ａの上が開口した例を示したが、雪や雨を考慮して取り外し自在な蓋を設けてもよい。【００４１】  サークルネット１１ａに固定紐１５を設け、付近の電柱７等の他の構造物に結んで固定した例を示したが、付近に構造物が無い場合は、例えば被覆材収納部１０の内径よりもやや細く、背の低い漬物石状のコンクリートブロックを設け、底の無い被覆材収納部１０を上からはめ込んでずれ止めとし、ゴミ収容具１の飛散防止としてもよい。また、上記のコンクリートブロックを使用する場合であれば、コンクリートブロックを基軸として被覆材収納部１０をその場で回転させてサークルネット１１ａを巻き取って片づ��るようにすればよい。【００４２】  同様に被覆材収納部１０内に上から地面へ貫通して柱や杭材を設けて飛散防止としてもよい。また、上記のような柱や杭材にごみ回収の曜日や品目を表示する看板を設ければ、よりごみ集積所の景観をよくすることができる。【００４３】  また、被覆材収納部１０の平断面形状は円形に限らず、デザインを考慮して変形円形や多角形状としてもよい。【００４４】  また、サークル部１１も同様に樹脂のメッシュ材で構成したが、網目の無い短冊状の薄アルミ板を連ねてサークル部１１を構成してもよい。【００４５】  また、被覆材１２としてごみネット１２ａを用いた例を示したが、雪や雨を考慮して網目の無いシート材としてもよく、被覆材収納部１０にシートとネットの両方を備え、天候によって選択して使用するようにしてもよい。
【符号の説明】
【００４６】    １  ごみ収納具
１０  被覆材収納部
１１  サークル部
１２  被覆材
【図１】
0003175015.tif 000003
【図２】
0003175015.tif 000004
【図３】
0003175015.tif 000005
【図４】
0003175015.tif 000006
【図５】
0003175015.tif 000007
【図６】
0003175015.tif 000008
【図７】
0003175015.tif 000009
【手続補正書】
【提出日】平成24年2月9日(2012.2.9)
【手続補正１】
【補正対象書類名】明細書
【補正対象項目名】００１６
【補正方法】変更
【補正の内容】
【００１６】  請求項１のごみ収納具１は、平断面が円形状、又は多角形状の縦に長い筒状の被覆材収納部１０と、被覆材収納部１０の筒外周に少なくとも１カ所で接続され平面サークル状に屈曲する衝立となり、内部にごみを収納するサークル部１１と、シート又はネット状素材で、サークル部１１を上から覆ってごみの飛散を防止する被覆材１２とからなるごみ集積所等のごみ収納具であって、ごみを収納しないときは、被覆材１２は畳んで被覆材収納部１０内に収納し、サークル部１１は被覆材収納部１０の筒外周に巻きつけることで収納可能としたものである。
【手続補正２】
【補正対象書類名】明細書
【補正対象項目名】００２０
【補正方法】変更
【補正の内容】
【００２０】
【図１】  図１は実施例１に係るごみ収納具の斜視図である。
【図２】  図２は図１の平面図である。
【図３】  図３は図１の正面図である。
【図４】  図４は実施例１に係るごみ収納具の使用状態を模式的に示す斜視図である。
【図５】  図５は実施例１に係るごみ収納具の収納時を示す斜視図である。
【図６】  図６は実施例１に係るごみ収納具を収納した状態を示す斜視図である。
【図７】  図７は本考案に係るごみ収納具の他の実施形態を示す図である。
【手続補正３】
【補正対象書類名】明細書
【補正対象項目名】００２２
【補正方法】変更
【補正の内容】
【００２２】  図１は本考案の実施例１に係るごみ収納具１である。
【手続補正４】
【補正対象書類名】明細書
【補正対象項目名】００２３
【補正方法】変更
【補正の内容】
【００２３】  ごみ収納具１は主に縦に長い筒状の被覆材収納部１０としての収納バケット１０ａと、収納バケット１０ａの筒外周で接続され平面サークル状に屈曲する衝立となり、内部にごみを収納するサークル部１１としてのサークルネット１１ａと、サークルネット１１ａを上から覆ってごみＧの飛散を防止する被覆材１２としてのごみネット１２ａからなる。
【手続補正５】
【補正対象書類名】明細書
【補正対象項目名】００２９
【補正方法】変更
【補正の内容】
【００２９】  収納バケット１０ａにはその一端を固定して被覆材１２としてのごみネット１２ａを設ける。ごみネット１２ａは柔軟な樹脂ネットで、カラス避けのために目が細かく、周囲に錘紐を廻して小動物が持ち上げられないようになっている。これも一般にごみ集積所向けとして市販されているものを利用してもよい。ごみネット１２ａの大きさはサークルネット１１ａを上からすっぽり覆うことができる大きさとしておく。本実施例では縦約２ｍ、横約３ｍとした。
【手続補正６】
【補正対象書類名】明細書
【補正対象項目名】００３０
【補正方法】変更
【補正の内容】
【００３０】  次に、ごみ収納具１の使用方法について説明する。
【手続補正７】
【補正対象書類名】明細書
【補正対象項目名】００３１
【補正方法】変更
【補正の内容】
【００３１】  図４に示すのはごみ収納具としての使用状態を示すもので、収納バケット１０ａから設けたサークルネット１１ａを広げ、内部に集積されるごみＧを収納し、その上からごみネット１２ａを被せて使用する。サークルネット１１ａの中間位置に設けた固定紐１５は、ごみ集積所付近の電柱７等に結んでおく。
【手続補正８】
【補正対象書類名】明細書
【補正対象項目名】００３２
【補正方法】変更
【補正の内容】
【００３２】  サークルネット１１ａは屈曲する素材からなっているので、もちろん収納するごみＧの多さで広げる大きさや形を変えればよい。またサークルネット１１ａを設けているため、ごみＧを重ねて収納しても崩れるのを防止し、ごみ集積所のスペースをコンパクトに保つことができる。
【手続補正９】
【補正対象書類名】明細書
【補正対象項目名】００３３
【補正方法】変更
【補正の内容】
【００３３】  ごみＧの収集が完了し、ごみ収納具１を使用しないときは片づける。まず、ごみネット１２ａは丸めて畳んで収納バケット１０ａに上から投入して収納する。次にサークルネット１１ａは収納バケット１０ａの筒外周に巻きつけて収納する。
【手続補正１０】
【補正対象書類名】明細書
【補正対象項目名】００３５
【補正方法】変更
【補正の内容】
【００３５】  従来ではごみに被せるネットを丸めて畳んだもの、サークル部材を丸めたものそれぞれがごみ集積所に放置される場合が多いが、本実施例で示すごみ収納具１を片づけると、収納バケット１０ａよりも略一回り大きな一体の円柱状にまとまり、ごみ集積所の景観を損ねない。また、固定紐１５によってごみ収納具１が付近の電柱７等の構造物に固定されるので強風等で飛ばされるおそれがない。
【手続補正１１】
【補正対象書類名】明細書
【補正対象項目名】００４１
【補正方法】変更
【補正の内容】
【００４１】  サークルネット１１ａに固定紐１５を設け、付近の電柱７等の他の構造物に結んで固定した例を示したが、付近に構造物が無い場合は、例えば被覆材収納部１０の内径よりもやや細く、背の低い漬物石状のコンクリートブロックを設け、底の無い被覆材収納部１０を上からはめ込んでずれ止めとし、ごみ収納具１の飛散防止としてもよい。また、上記のコンクリートブロックを使用する場合であれば、コンクリートブロックを基軸として被覆材収納部１０をその場で回転させてサークルネット１１ａを巻き取って片づけるようにすればよい。
【手続補正１２】
【補正対象書類名】実用新案登録請求の範囲
【補正対象項目名】請求項１
【補正方法】変更
【補正の内容】
【請求項１】
平断面が円形状、または多角形状の縦に長い筒状の被覆材収納部と、
被覆材収納部の筒外周に少なくとも１カ所で接続され平面サークル状に屈曲する衝立となり、内部にごみを収納するサークル部と、
被覆材収納部にその一端を固定され、シート又はネット状素材で、サークル部を上から覆ってごみの飛散を防止する被覆材とからなるごみ集積所等のごみ収納具であって、
ごみを収納しないときは、被覆材は畳んで被覆材収納部内に収納し、サークル部は被覆材収納部の筒外周に巻きつけることで収納可能としたごみ収納具。